(57)【要約】【課題】使用初期から更に高い制動性能が得られる空気入りタイヤ及び空気入りタイヤ用加硫金型を提供することを課題とする。【解決手段】本発明に係る空気入りタイヤでは、トレッド部１６の陸部表面２６ＳのＲｓｋが０以上とされている。これにより、タイヤが接地していても、トレッド表面と接地面との間に形成される空隙Ｚを埋めない構造とすることができる。従って、タイヤ使用初期であっても、氷上での高い制動性能や牽引力を確保することができる。【選択図】図３
2009067378.tif 000002
【特許請求の範囲】
【請求項１】
トレッド部を有する空気入りタイヤであって、
前記トレッド部の陸部表面のＲｓｋを０以上としたことを特徴とする空気入りタイヤ。
【請求項２】
前記トレッド部に浅溝が形成されていることにより、前記トレッド部の陸部表面のＲｓｋが０以上となっていることを特徴とする請求項１に記載の空気入りタイヤ。
【請求項３】
前記浅溝の幅の平均が１０〜１００μｍの範囲内であることを特徴とする請求項２に記載の空気入りタイヤ。
【請求項４】
ゴム製の靴底の接地面側に浅溝が形成されていることにより靴底の接地面のＲｓｋが０以上となっていて、
前記浅溝の幅の平均が１０〜１００μｍの範囲内であることを特徴とする靴。
【請求項５】
ゴム製のタイヤチェーンの表面側に浅溝が形成されていることによりタイヤチェーン表面のＲｓｋが０以上となっていて、
前記浅溝の幅の平均が１０〜１００μｍの範囲内であることを特徴とするタイヤチェーン。
【請求項６】
トレッド部の陸部表面に当接するモールド表面のＲｓｋが０以下であることにより、空気入りタイヤのトレッド部の陸部表面のＲｓｋが０以上となるように加硫成形することを特徴とする空気入りタイヤ用加硫金型。
【請求項７】
エッチング加工又はサンドブラスト加工によって前記モールド表面のＲｓｋが０以下となっていることを特徴とする請求項６に記載の空気入りタイヤ用加硫金型。
【発明の詳細な説明】
【技術分野】
【０００１】
本発明は、冬季に用いるのに最適な空気入りタイヤ、靴、タイヤチェーン、及び、空気入りタイヤ用加硫金型に関し、更に詳細には、使用初期での制動性能を向上させた空気入りタイヤ、靴、タイヤチェーン、及び、空気入りタイヤ用加硫金型に関する。
【背景技術】
【０００２】
氷雪路面やウェット路面等での性能を向上させたタイヤとして、いわゆるスタッドレスタイヤがある。スタッドレスタイヤには、種々の充填剤を配合して、氷表面のエッジ効果を得るようにしたものや、発泡ゴムを使用して、使用期間中の発泡層による吸水・エッジ効果を得るようにしたもの等がある。
【０００３】
しかし、一般にゴムは、加硫硬化された場合に金型と直接接触するタイヤ表面に、上記の充填剤や発泡層が露出せず、タイヤ表面に皮膜が形成されてしまう傾向にある。その結果、タイヤの使用初期においては、充填剤や発泡層の効果が発揮されない（若しくは、その効果が小さい）ことになる。
【０００４】
これに対し、たとえば特許文献１や特許文献２には、トレッド表面に細溝を形成することで、摩耗初期における制駆動性能を向上させた氷雪路用空気入りタイヤが記載されている。また、特許文献３には、トレッドの接地陸部にタイヤ周方向と０°〜４０°の角度をなす浅溝をタイヤ幅方向に並べて配置した空気入りタイヤが記載されている。
【０００５】
しかし、空気入りタイヤの実際の使用状況では、使用初期から更に高い制動性能が得られることが求められている。
【特許文献１】特開２００４−３４９０２号公報
【特許文献２】特開２００４−３４９０３号公報
【特許文献３】特開平７−１８６６３３号公報
【発明の開示】
【発明が解決しようとする課題】
【０００６】
本発明は上記事実を考慮し、使用初期から更に高い制動性能が得られる空気入りタイヤ、靴、タイヤチェーン、及び、空気入りタイヤ用加硫金型を提供することを課題とする。
【課題を解決するための手段】
【０００７】
本発明者は、未使用（未走行）タイヤのトレッド表面に、高さ１ｍｍ以下の凹凸を形成した場合、氷上における走行初期の牽引力及び制動性能が優れていることに着目した。更に、荷重がかかる接地面内で、この凹凸によって形成される空隙を保持する技術がいまだ知られていないことにも着目した。
【０００８】
そして、本発明者は、表面に凹凸を施したトレッド部では、荷重がかかる接地面でせん断力を受ける際、凹部深さが深いと凸部の剛性が低下するため凹部による空隙を埋めるように変形してしまい、氷上での牽引力、制動性能への表面粗さの効果が薄れてしまうことを見い出した。
【０００９】
そこで、本発明者は、荷重がかかる接地面でせん断力を受ける際、凹部深さが深くても、トレッド表面側に形成される凹部による空隙を埋めない構造とすることを鋭意検討し、実験を重ね、本発明を完成するに至った。
【００１０】
請求項１に記載の発明は、トレッド部を有する空気入りタイヤであって、前記トレッド部の陸部表面のＲｓｋを０以上としたことを特徴とする。
【００１１】
Ｒｓｋは、粗さ曲線のスキューネスを示すものである。
【００１２】
請求項１に記載の発明では、トレッド部の陸部表面のＲｓｋを０以上としているので、タイヤが接地していても、トレッド表面と接地面との間に形成される空隙を埋めない構造とすることができる。従って、タイヤ使用初期であっても、氷上での高い制動性能や牽引力を確保することができる。
【００１３】
なお、好ましくは、トレッド部の陸部表面のＲｓｋが１．０以下である。これにより、無用にＲｓｋを大きくすることがないので、トレッド部の陸部表面構造の簡素化やコスト低減化を図ることができる。
更に好ましくは、トレッド部の陸部表面のＲｓｋが０．１〜１．０の範囲内である。これにより、トレッド部の陸部表面構造の簡素化やコスト低減化を更に図ることができる。
より更に好ましくは、トレッド部の陸部表面のＲｓｋが０．２〜１．０の範囲内である。これにより、トレッド部の陸部表面構造の簡素化やコスト低減化をより更に図ることができる。
【００１４】
請求項２に記載の発明は、前記トレッド部に浅溝が形成されていることにより、前記トレッド部の陸部表面のＲｓｋが０以上となっていることを特徴とする。
【００１５】
これにより、浅溝の溝深さが深くてもトレッド表面側に形成される空隙を埋めない構造とすることができ、トレッド部の陸部表面を簡易な形状でＲｓｋ０以上とすることができる。
【００１６】
請求項３に記載の発明は、前記浅溝の幅の平均が１０〜１００μｍの範囲内であることを特徴とする。
【００１７】
１０μｍよりも低いと必要な空隙を確保でき難くなり、また、１００μｍよりも高いと路面との接地面積を大きく損なうためである。
【００１８】
請求項４に記載の発明は、ゴム製の靴底の接地面側に浅溝が形成されていることにより靴底の接地面のＲｓｋが０以上となっていて、前記浅溝の幅の平均が１０〜１００μｍの範囲内であることを特徴とする。
【００１９】
これにより、氷上でタイヤの制動性能や駆動性能を向上させたことと同様の原理により、氷上での滑り防止性を向上させた靴が実現される。
【００２０】
請求項５に記載の発明は、ゴム製のタイヤチェーンの表面側に浅溝が形成されていることによりタイヤチェーン表面のＲｓｋが０以上となっていて、前記浅溝の幅の平均が１０〜１００μｍの範囲内であることを特徴とする。
【００２１】
これにより、氷上でタイヤの制動性能や駆動性能を向上させたことと同様の原理により、氷上での制動性能や駆動性能を向上させたタイヤチェーンが実現される。
【００２２】
請求項６に記載の発明は、トレッド部の陸部表面に当接するモールド表面のＲｓｋが０以下であることにより、空気入りタイヤのトレッド部の陸部表面のＲｓｋが０以上となるように加硫成形することを特徴とする。
【００２３】
請求項６に記載の発明では、モールド加硫成形後のタイヤのトレッド部の陸部表面がＲｓｋ０以上となる。これにより、請求項１に記載の空気入りタイヤを簡易に得ることができる。
【００２４】
請求項７に記載の発明は、エッチング加工又はサンドブラスト加工によって前記モールド表面のＲｓｋが０以下となっていることを特徴とする。
【００２５】
これにより、トレッド部の陸部表面がＲＳＫ０以上となるタイヤを再現よく加硫成形することが可能となる。
【発明の効果】
【００２６】
本発明によれば、使用初期から更に高い制動性能が得られる空気入りタイヤ、靴、タイヤチェーン、及び、空気入りタイヤ用加硫金型とすることができる。
【発明を実施するための最良の形態】
【００２７】
以下、実施形態を挙げ、本発明の実施の形態について説明する。
［第１実施形態］
まず、第１実施形態について説明する。図１に示すように、本実施形態に係る空気入りタイヤ１０は、スタッドレスタイヤであって、両端部がそれぞれビードコア１１で折り返された１層又は複数層で構成されるカーカス１２を備えている。
【００２８】
カーカス１２のクラウン部１２Ｃのタイヤ径方向外側には、複数枚（例えば２枚）のベルトプライが重ねられたベルト層１４が埋設されている。
【００２９】
ベルト層１４のタイヤ径方向外側には、溝を配設したトレッド部１６が形成されている。図２に示すように、トレッド部１６には、タイヤ赤道面ＣＬ上とその両側とに、タイヤ周方向Ｕに沿った複数本の周方向溝（主溝）２２が形成されている。また、トレッド部１６には、タイヤ周方向Ｕと交差する複数本の横溝２４が形成されている。本実施形態では、横溝２４はタイヤ幅方向Ｖに沿って形成されている。各横溝２４の両端部は、周方向溝２２に連通するか、又は、トレッド端Ｔを越えてタイヤ幅方向外側へ排水可能なように延びている。
【００３０】
ここで、トレッド端とは、空気入りタイヤをＪＡＴＭＡ  ＹＥＡＲ  ＢＯＯＫ（２００６年度版、日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％を内圧として充填し、最大負荷能力を負荷したときのタイヤ幅方向最外の接地部分を指す。なお、使用地又は製造地においてＴＲＡ規格、ＥＴＲＴＯ規格が適用される場合は各々の規格に従う。
【００３１】
空気入りタイヤ１０は、冬用のスタッドレスタイヤとして用いられるものであって、トレッド部１６を形成しているトレッドゴムは、硬度（０°Ｃ、ＪＩＳ−Ａ）が５０度であり、損失係数ｔａｎδ（ピーク位置）が−４５°Ｃ、動的弾性率（−２０°Ｃ、０．１％歪）が１８０ｋｇｆ／ｃｍ2であるが、本発明はこれに限定されない。
【００３２】
なお、冬用のスタッドレスタイヤとして用いる場合のトレッドゴムでは、硬度（０°Ｃ、ＪＩＳ−Ａ）が４０〜６８度、損失係数ｔａｎδ（ピーク位置）が−３０°Ｃ以下、動的弾性率（−２０°Ｃ、０．１％歪）が３００ｋｇｆ／ｃｍ2以下であることが好ましい。
【００３３】
ここで、トレッドゴムの硬度が４０度未満の場合は、柔らかすぎて耐摩耗性に劣り、６８度より高い場合は硬すぎて氷雪路面との接触面積が減って制動性能・駆動性能等が劣るため好ましくない。また、損失係数ｔａｎδ（ピーク位置）が−３０°より高いと、氷雪路面では剛すぎて接触面積が減って制動性能・駆動性能等に劣るため好ましくない。さらに、動的弾性率が３００ｋｇｆ／ｃｍ2よりも高いと、氷雪路面では剛すぎて接触面積が減って制動性能・駆動性能等に劣るため好ましくない。
【００３４】
トレッド部１６には、図２に示すように、周方向溝２２及び横溝２４によって多数のブロック２６が形成されている。
【００３５】
各ブロック２６には、例えば横溝２４に沿ったサイプ２８が形成されている。サイプ２８は、例えば両端がブロック両側壁に開口して周方向溝２２に連通するいわゆるオープンサイプとされている。
【００３６】
図３（Ａ）に示すように、トレッド部１６の陸部表面（ブロック２６の表面）２６Ｓは、Ｒｓｋが０以上とされている。ここでＲｓｋは、粗さ曲線のスキューネスを示すＩＳＯ標準パラメータ（ＪＩＳ Ｂ０６０１）である。
【００３７】
本実施形態では、陸部表面２６ＳのＲｓｋが０以上となるように、トレッド部１６に浅溝（リブレット）３０が形成されている。この浅溝３０は、細長状であって浅溝幅方向断面における溝底３０Ｂが丸みを帯びた形状となっている。また、トレッドゴムで構成される溝壁３２の先端（タイヤ径方向外側端）が尖っている。この溝壁３２の高さ方向中央部における幅Ｗは１０〜１００μｍの範囲内である。また、浅溝３０の幅の平均は１０〜１００μｍの範囲内とされている。
【００３８】
空気入りタイヤ１０を製造するには、図４に示すような加硫金型４０を用いる。この加硫金型４０では、トレッド部１６の陸部表面２６Ｓに当接するモールド表面４０ＳのＲｓｋを０以下にしている。
【００３９】
モールド表面４０ＳのＲｓｋを０以下にするためには、表面加工をする際に、エッチング加工、又は、サンドブラスト加工を行う。
【００４０】
エッチング加工では、例えば、陸部表面に当接するモールド表面の５０％以上にレジスト液を塗布することで、ＲＳＫが０以下のモールド表面を加工することができる。
【００４１】
サンドブラスト加工では、例えば、陸部表面に当接するモールド表面の５０％以上をマスキングしてサンドブラストすることで、ＲＳＫが０以下のモールド表面を加工することができる。
【００４２】
空気入りタイヤ１０を車両に装着して氷路上を走行すると、図３（Ｂ）に示すように、溝壁３２が接地面である氷路面Ｓに押圧される。ここで、陸部表面２６ＳのＲｓｋが０以上であり溝壁３２のせん断剛性が高められているので、荷重がかかる接地面（氷路面Ｓ）で溝壁３２がせん断力を受ける際、浅溝３０の溝深さが深くてもトレッド表面側に形成される空隙Ｚを埋めない構造とすることができる。従って、タイヤ使用初期であってもトレッド表面を発泡ゴムのような表面状態とすることができ、氷上での高い制動性能や牽引力を確保することができる。
【００４３】
また、上記の浅溝３０を形成することによって陸部表面２６ＳのＲｓｋを０以上としているので、トレッド部１６の陸部表面２６Ｓを簡易な形状でＲｓｋ０以上とすることができている。
【００４４】
また、加硫金型４０では、トレッド部１６の陸部表面２６Ｓに当接するモールド表面４０ＳのＲｓｋを０以下にすることによって、トレッド部１６の陸部表面２６ＳのＲｓｋを０以上としている。これにより、空気入りタイヤ１０を簡易に製造することができる。
【００４５】
なお、陸部表面２６Ｓの平均粗さ（中心線平均粗さ）Ｒａを１０〜１００μｍの範囲内としてもよい。Ｒａがこの範囲内であると、氷上での摩擦係数が低下し難い。また、Ｒａが１０〜５０μｍの範囲内であると、氷上での摩擦係数を確保する上で更に好ましい。
【００４６】
［第２実施形態］
次に、第２実施形態について説明する。図５に示すように、本実施形態に係る靴５０はゴム製であり、靴底５２の接地面側に、第１実施形態で説明した浅溝３０（図３参照）と同様の浅溝が形成されている。この浅溝が形成されていることによって靴底５２の接地面５２ＳのＲｓｋが０以上となっている。浅溝の幅の平均は、第１実施形態と同様、１０〜１００μｍの範囲内である。
【００４７】
本実施形態により、氷上でタイヤの制動性能や駆動性能を向上させたのと同様の原理により、氷上での滑り防止性を向上させた靴５０とすることができる。
【００４８】
［第３実施形態］
次に、第３実施形態について説明する。図６に示すように、本実施形態に係るタイヤチェーン６０は、ゴム製であり、タイヤチェーン６０の表面側に、第１実施形態で説明した浅溝３０（図３参照）と同様の浅溝が形成されている。この浅溝が形成されていることによってタイヤチェーン表面６０ＳのＲｓｋが０以上となっている。浅溝の幅の平均は、第１実施形態と同様、１０〜１００μｍの範囲内である。
【００４９】
本実施形態により、氷上でタイヤの制動性能や駆動性能を向上させたのと同様の原理により、氷上での制動性能や駆動性能を向上させたタイヤチェーン６０とすることができる。
【００５０】
＜試験例＞
本発明の効果を確かめるために、本発明者は、トレッドパターンが形成されていないタイヤで、Ｒｓｋが第１実施形態の空気入りタイヤ１０で示した範囲内（０以上）に入っている五例（以下、実施例１〜５という）、及び、比較のための空気入りタイヤの三例（以下、比較例１〜３という）を用意し、性能試験を行って制動性能を評価した。なお、上記のトレッドパターンが形成されていないタイヤとは、１ｍｍ以上の凹凸がトレッド部に形成されていないタイヤのことである。
【００５１】
本試験例では、タイヤサイズは全て ２０５／６５Ｒ１５ である。また、溝幅、ブロックサイズ、サイプサイズ等、Ｒｓｋ以外のタイヤ条件は全て同じである。
【００５２】
本試験例における各タイヤのＲｓｋを表１に示す。
【表１】
2009067378.tif 000003
【００５３】
また、本試験例では、全てのタイヤについて、正規リムに組み込んで四輪乗用車に４本装着した後に正規内圧とし、正規荷重のもとで、−２℃の氷路上で速度２０ｋｍ／ｈからの四輪ロックブレーキ時（４本のタイヤともブレーキでロックされた状態）での制動距離を計測した。そして、実施例２での制動距離を指数１００とし、他のタイヤについては相対評価となる指数を算出した。
【００５４】
ここで、「正規リム」とは、例えばＪＡＴＭＡが発行する２００６年版のＹＥＡＲ  ＢＯＯＫに定められた適用サイズにおける標準リムを指し、「正規荷重」及び「正規内圧」とは、同様に、ＪＡＴＭＡが発行する２００６年版のＹＥＡＲ  ＢＯＯＫに定められた適用サイズ・プライレーティングにおける最大荷重及び該最大荷重に対する空気圧を指す。使用地又は製造地において、ＴＲＡ規格、ＥＴＲＴＯ規格が適用される場合は、各々の規格に従う。
【００５５】
評価結果（各タイヤで算出した指数）を表１に併せて示す。表１の評価結果では指数が大きいほど制動性能が高いこと、すなわち制動距離が短いことを示す。表１から判るように、実施例１〜５では、比較例１〜３に比べ、制動性能は何れも高くなっていた。
【００５６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００５７】
【図１】第１実施形態に係る空気入りタイヤのタイヤ径方向断面図である。
【図２】第１実施形態に係る空気入りタイヤのトレッド部のブロック配置を平面状態で示す説明図である。
【図３】図３（Ａ）及び（Ｂ）は、それぞれ、第１実施形態に係る空気入りタイヤのトレッド部で、非接地状態における陸部表面の側面部分拡大断面図、及び、接地状態における陸部表面の側面部分拡大断面図である。
【図４】第１実施形態に係る空気入りタイヤを製造する際に用いる加硫金型のモールド表面の側面部分拡大断面図である。
【図５】第２実施形態に係る靴の背面斜視図である。
【図６】第３実施形態に係るタイヤチェーンを空気入りタイヤに取付けた状態で示す斜視図である。
【符号の説明】
【００５８】
１０    空気入りタイヤ
１６    トレッド部
２６    ブロック
２６Ｓ  陸部表面
３０    浅溝
３２    溝壁
４０    加硫金型
４０Ｓ  モールド表面
５０    靴
５２    靴底
５２Ｓ  接地面
６０    タイヤチェーン
６０Ｓ  タイヤチェーン表面
【図１】
2009067378.tif 000004
【図２】
2009067378.tif 000005
【図３】
2009067378.tif 000006
【図４】
2009067378.tif 000007
【図５】
2009067378.tif 000008
【図６】
2009067378.tif 000009